(57)【要約】      （修正有）【課題】ボタンのパネルへの組付けにおいて、ボタンが組み付きやすく、かつ外れにくい構造を提供する。【解決手段】パネル１０には、隙間部１４を間に有する受け部１３ａ，１３ｂをそれぞれの先端に設けた腕部１２ａ，１２ｂを形成している。ボタン２０のボタン裏面２１には、係り部２３ａ，２３ｂを先端に設けた回転軸部２２を形成している。ボタンのパネルへの組み付けでは、隙間部に回転軸部を挿入後、回転軸部を中心にしてボタンを回転することにより、２つの受け部１３ａ，１３ｂに２つの係り部２３ａ，２３ｂが係り合った状態になる。【選択図】図１
2018181669.tif 000002
【特許請求の範囲】
【請求項１】
ボタンをパネルに組み付けるボタン組み付け構造であって、
前記ボタンまたは前記パネルの一方は、もう一方の側へ突出する２つの腕部と、前記２つの腕部のそれぞれの先端から双方に向かって突出する２つの受け部と、前記２つの受け部の間にあいた隙間部とを備え、
前記ボタンまたは前記パネルの前記もう一方は、前記一方の側へ突出して前記隙間部に入った状態で回転可能な回転軸部と、前記回転軸部の先端から張り出し前記２つの受け部に係り合う２つの係り部とを備え、
前記隙間部に入った前記回転軸部を中心にして前記ボタンが回転したことにより前記２つの受け部に前記２つの係り部が係り合った状態になっていることを特徴とするボタン組み付け構造。
【請求項２】
前記ボタンまたは前記パネルの一方は、前記隙間部を中心とする円弧状のスリット部を備え、
前記ボタンまたは前記パネルのもう一方は、前記隙間部に入った前記回転軸部の回転に伴って前記スリット部内を移動可能であって前記２つの受け部に前記２つの係り部が係り合った状態では前記スリット部の端部に当接して前記ボタンと前記パネルとを位置決めするボス部を備えることを特徴とする請求項１記載のボタン組み付け構造。
【請求項３】
請求項１または請求項２記載のボタン組み付け構造を備える電子機器。
【発明の詳細な説明】
【技術分野】
【０００１】
この発明は、ボタンをパネルに組み付けるボタン組み付け構造、およびボタン組み付け構造を備える電子機器に関するものである。
【背景技術】
【０００２】
ボタンをパネルに組み付けるボタン組み付け構造（例えば、特許文献１参照）は、ボタンのフックをたわませながらパネルの立壁に設けられた凹部に引っ掛ける。フックが凹部に引っ掛かることで、ボタンがパネルから外れないようになっている。
【先行技術文献】
【特許文献】
【０００３】
【特許文献１】実開平２−１２９６２６号公報
【発明の概要】
【発明が解決しようとする課題】
【０００４】
従来のボタン組み付け構造は以上のように構成されているので、フックのたわみ量と、フックおよび凹部のかかりしろとは相互関係をもつ。ボタンが外れないようにかかりしろを大きくすると、フックのたわみ量も大きくなるため、ボタンをパネルに組み付けにくくなるという課題があった。他方、ボタンをパネルに組み付けやすくなるようにフックのたわみ量を小さくすると、かかりしろも小さくなるため、ボタンが外れやすいという課題があった。
【０００５】
この発明は、上記のような課題を解決するためになされたもので、ボタンが組み付きやすく、かつ外れにくい構造を提供することを目的とする。
【課題を解決するための手段】
【０００６】
この発明に係るボタン組み付け構造は、ボタンをパネルに組み付けるボタン組み付け構造であって、ボタンまたはパネルの一方は、もう一方の側へ突出する２つの腕部と、２つの腕部のそれぞれの先端から双方に向かって突出する２つの受け部と、２つの受け部の間にあいた隙間部とを備え、ボタンまたはパネルのもう一方は、一方の側へ突出して隙間部に入った状態で回転可能な回転軸部と、回転軸部の先端から張り出し２つの受け部に係り合う２つの係り部とを備え、隙間部に入った回転軸部を中心にしてボタンが回転したことにより２つの受け部に２つの係り部が係り合った状態になっているものである。
【発明の効果】
【０００７】
この発明によれば、隙間部に入った回転軸部を中心にしてボタンが回転したことにより２つの受け部に２つの係り部が係り合った状態になっているようにしたので、ボタンをパネルに組み付けるときにたわむ部品が無く、受け部と係り部とのかかりしろを任意に設定できる。よって、ボタンが組み付きやすく、かつ外れにくい構造を提供することができる。
【図面の簡単な説明】
【０００８】
【図１】この発明の実施の形態１に係るボタン組み付け構造の一例を示す斜視図であり、ボタンの裏面とパネルの表面を示す。
【図２】図２Ａは、この発明の実施の形態１に係るボタン組み付け構造のボタン組み付け前の状態を示す斜視図であり、図２Ｂは、Ａ−Ａ線に沿って切断した断面図である。
【図３】図３Ａは、この発明の実施の形態１に係るボタン組み付け構造のボタン組み付け途中の状態を示す斜視図であり、図３Ｂは、Ｂ−Ｂ線に沿って切断した断面図である。
【図４】図４Ａは、この発明の実施の形態１に係るボタン組み付け構造のボタンを組み付けた状態を示す斜視図であり、図４Ｂは、Ｃ−Ｃ線に沿って切断した断面図である。
【図５】図５Ａは、この発明の理解を助けるための参考例を示す斜視図であり、図５Ｂは、Ｄ−Ｄ線に沿って切断した断面の拡大図である
【図６】この発明の実施の形態１に係るボタン組み付け構造の変形例を示す斜視図であり、ボタンの裏面とパネルの表面を示す。
【図７】この発明の実施の形態１に係るボタン組み付け構造を適用した電子機器の一例を示す正面図である。
【図８】図７に示された電子機器のボタン組み付け前の状態を示す斜視図である。
【発明を実施するための形態】
【０００９】
実施の形態１．
図１は、この発明の実施の形態１に係るボタン組み付け構造の一例を示す斜視図であり、ボタン裏面２１とパネル表面１１を示す。図２Ａは、この発明の実施の形態１に係るボタン組み付け構造のボタン組み付け前の状態を示す斜視図であり、図２Ｂは、Ａ−Ａ線に沿って切断した断面図である。図３Ａは、この発明の実施の形態１に係るボタン組み付け構造のボタン組み付け途中の状態を示す斜視図であり、図３Ｂは、Ｂ−Ｂ線に沿って切断した断面図である。図４Ａは、この発明の実施の形態１に係るボタン組み付け構造のボタンを組み付けた状態を示す斜視図であり、図４Ｂは、Ｃ−Ｃ線に沿って切断した断面図である。
【００１０】
実施の形態１に係るボタン組み付け構造は、ボタン２０を、パネル表面１１側からパネル１０に組み付けるものである。なお、図１および図４Ａに示されるボタン２０は正規の向きである。図２Ａおよび図３Ａに示されるボタン２０は正規の向きから９０度回転した状態である。
【００１１】
パネル１０は、パネル表面１１からボタン裏面２１へ突出する２つの腕部１２ａ，１２ｂを備える。腕部１２ａの先端には、もう一方の腕部１２ｂに向かって突出する受け部１３ａが形成される。同様に、腕部１２ｂの先端には、もう一方の腕部１２ａに向かって突出する受け部１３ｂが形成される。図示例では、受け部１３ａ，１３ｂのそれぞれの先端はパネル表面１１側へ曲がった形状であるが、曲がっていなくてもよい。受け部１３ａ，１３ｂの間には隙間部１４が設けられる。
【００１２】
また、パネル表面１１において、腕部１２ａ，１２ｂの上側には導光部１５ａが形成され、下側には導光部１５ｂが形成される。図示例では、導光部１５ａ，１５ｂはパネル表面１１からボタン裏面２１へ突出する略筒状の壁である。パネル１０の背面側に不図示の光源が設置され、不図示の光源が発する光を導光部１５ａ，１５ｂがボタン２０側へ導光する。さらに、パネル表面１１において腕部１２ａ，１２ｂおよび受け部１３ａ，１３ｂの付近に形成された穴には、不図示のスイッチが設置される。後述するボタン２０の回転軸部２２が押し子となってスイッチを押す。
【００１３】
ボタン２０は、ボタン裏面２１からパネル表面１１へ突出する回転軸部２２を備える。ボタン２０の組み付け時、回転軸部２２は、受け部１３ａ，１３ｂの隙間部１４に入った状態で回転する。これにより、回転軸部２２を中心にしてボタン２０が回転する。回転軸部２２の先端には、張り出した形状の２つの係り部２３ａ，２３ｂが形成される。回転軸部２２の先端において係り部２３ａ，２３ｂは、略Ｈ字形状であり、上下２か所が凹んだ切り欠き部２４ａ，２４ｂを有する。係り部２３ａ，２３ｂは互いに平行であり、かつボタン裏面２１とも平行である。ボタン２０の組み付け時、係り部２３ａ，２３ｂは、回転軸部２２の回転に伴って回転し、受け部１３ａ，１３ｂに係り合う。係り部２３ａと受け部１３ａ、および係り部２３ｂと受け部１３ｂが係り合うことにより、ボタン２０がパネル１０から離れる方向に動いてもパネル１０から外れない。
【００１４】
また、ボタン２０の上部には光透光部２５ａが形成され、下部には光透光部２５ｂが形成される。光透光部２５ａは相対する導光部１５ａが導光する光を透過させ、ボタン２０の表面を発光させる。同様に、光透光部２５ｂは相対する導光部１５ｂが導光する光を透過させ、ボタン２０の表面を発光させる。
【００１５】
次に、ボタン２０の組み付け手順を説明する。
まず作業者は、図２Ａおよび図２Ｂに示すように、ボタン２０を正規の向きから９０度回転させた状態にする。ボタン２０を９０度回転させた状態では、受け部１３ａ，１３ｂと切り欠き部２４ａ，２４ｂとが相対する。
【００１６】
続いて作業者は、図３Ａおよび図３Ｂに示すように、９０度回転させたボタン２０の回転軸部２２を、パネル１０の隙間部１４に入れる。このとき、パネル１０の受け部１３ａ，１３ｂは、ボタン２０の切り欠き部２４ａ，２４ｂ内を通過するため、係り部２３ａ，２３ｂにはぶつからない。係り部２３ａ，２３ｂは、受け部１３ａ，１３ｂの上側と下側を通過して、受け部１３ａ，１３ｂより奥側へ進む。
【００１７】
最後に作業者は、回転軸部２２を中心にしてボタン２０を図３Ａの矢印の方向に９０度回転させ、図４Ａおよび図４Ｂに示す正規の向きにする。図示例の場合、回転軸部２２が直方体状であるため、９０度回転させる途中で回転軸部２２が腕部１２ａ，１２ｂおよび受け部１３ａ，１３ｂをたわませて隙間部１４の間隔を拡大させるための力が必要となり、作業者に９０度回転したことを感じさせる。なお、回転軸部２２を例えば円柱状にした場合、回転軸部２２の回転中、腕部１２ａ，１２ｂおよび受け部１３ａ，１３ｂはたわまない。回転軸部２２の回転中における腕部１２ａ，１２ｂおよび受け部１３ａ，１３ｂのたわみ量は、係り部２３ａ，２３ｂと受け部１３ａ，１３ｂのかかりしろ３０ａ，３０ｂとは無関係である。
【００１８】
ボタン２０が回転すると、係り部２３ａ，２３ｂは、９０度向きを変えて受け部１３ａ，１３ｂより奥側の腕部１２ａ，１２ｂに挟まれた空間に入り、受け部１３ａ，１３ｂに係り合う。図４Ｂの拡大図に示されるように、係り部２３ａと受け部１３ａとが係り合う部分がかかりしろ３０ａとなり、係り部２３ｂと受け部１３ｂとが係り合う部分がかかりしろ３０ｂとなる。受け部１３ａ，１３ｂの厚みよりも回転軸部２２の長さを長くしておくことで、ボタン２０がパネル１０側へ可動し、回転軸部２２の先端が不図示のスイッチを押す。
【００１９】
ここで、図５Ａおよび図５Ｂに、この発明の理解を助けるための参考例を示す。図５Ａは、参考例に係るボタン組み付け構造を示す斜視図であり、図５Ｂは、Ｄ−Ｄ線に沿って切断した断面の拡大図である。参考例において、パネル表面１１には、ボタン裏面２１へ突出する立壁４０が形成される。ボタン裏面２１には、パネル表面１１へ突出するフック４１ａ，４１ｂが形成される。作業者は、フック４１ａ，４１ｂをたわませながら立壁４０へ組み付け、フック４１ａ，４１ｂ先端の爪を立壁４０の端部に引っ掛ける。ボタン２０が外れないようにするために、フック４１ａの爪と立壁４０の端部とのかかりしろ４２ａおよびフック４１ｂの爪と立壁４０の端部とのかかりしろ４２ｂを大きくする、つまり爪を大きくすると、ボタン２０を組み付けるときのフック４１ａ，４１ｂのたわみ量も大きくなる。そのため、ボタン２０をパネル１０に組み付けにくくなる。他方、ボタン２０を組み付けやすくなるようにフック４１ａ，４１ｂの爪を小さくしてたわみ量を小さくすると、かかりしろ４２ａ，４２ｂも小さくなるため、ボタン２０がパネル１０から外れやすくなる。
【００２０】
一方、実施の形態１に係るボタン組み付け構造は、ボタン２０をパネル１０に組み付ける際に参考例のように腕部１２ａ，１２ｂおよび受け部１３ａ，１３ｂをたわませる必要がなく、かかりしろ３０ａ，３０ｂの大きさを自由に設定できる。そのため、ボタン２０が外れないように受け部１３ａ，１３ｂと係り部２３ａ，２３ｂとのかかりしろ３０ａ，３０ｂを大きくした場合に、ボタン２０がパネル１０に組み付きにくくなることはない。したがって、ボタン２０が外れないように、十分な大きさのかかりしろ３０ａ，３０ｂを設定できる。
【００２１】
次に、実施の形態１に係るボタン組み付け構造の変形例を説明する。図６は、この発明の実施の形態１に係るボタン組み付け構造の変形例を示す斜視図であり、ボタン裏面２１とパネル表面１１を示す。図６において、パネル表面１１には、スリット部１６が形成される。スリット部１６は、回転軸部２２が入る隙間部１４を中心とした９０度の円弧である。一方、ボタン裏面２１には、スリット部１６に入るボス部２６が形成される。
【００２２】
図３Ａおよび図３Ｂに示される状態において、ボス部２６はスリット部１６の一端部１６ａに入る。ボタン２０が図３Ａの矢印の方向に９０度回転すると、ボス部２６はその回転に伴ってスリット部１６内を一端部１６ａから他端部１６ｂへ移動する。図４Ａおよび図４Ｂに示される状態において、ボス部２６はスリット部１６の他端部１６ｂに当接することにより、ボタン２０とパネル１０との上下方向の位置決めをする。また、ボス部２６は、スリット部１６の他端部１６ｂに当接することによりボタン２０が上下方向に動かず、上下方向の外れを防止できる。
【００２３】
次に、実施の形態１に係るボタン組み付け構造を適用した電子機器の一例を説明する。図７は、この発明の実施の形態１に係るボタン組み付け構造を適用した電子機器の一例を示す正面図である。図８は、図７に示された電子機器のボタン組み付け前の状態を示す斜視図である。図７および図８では、電子機器としてナビゲーション装置５０を例示する。ナビゲーション装置５０の正面には、ディスプレイ５１、パネル１０、およびボタン２０等が配置される。ナビゲーション装置５０が車両に搭載される場合、走行時の振動を受けるため、ボタン２０の耐振性が要求される。実施の形態１に係るボタン組み付け構造は、ボタン２０の組み付けやすさを損なわずにかかりしろ３０ａ，３０ｂを十分に確保できるため、ボタン２０に要求される耐振性を満たすことができる。
【００２４】
以上より、実施の形態１のパネル１０は、ボタン２０側へ突出する２つの腕部１２ａ，１２ｂと、2つの腕部１２ａ，１２ｂのそれぞれの先端から双方に向かって突出する２つの受け部１３ａ，１３ｂと、２つの受け部１３ａ，１３ｂの間にあいた隙間部１４とを備える。ボタン２０は、パネル１０側へ突出して隙間部１４に入った状態で回転可能な回転軸部２２と、回転軸部２２の先端から張り出し２つの受け部１３ａ，１３ｂに係り合う２つの係り部２３ａ，２３ｂとを備える。そして、ボタン組み付け構造は、隙間部１４に入った回転軸部２２を中心にしてボタン２０が回転したことにより２つの受け部１３ａ，１３ｂに２つの係り部２３ａ，２３ｂが係り合った状態になっている。このため、ボタン２０をパネル１０に組み付けるときにたわむ部品が無く、受け部１３ａ，１３ｂと係り部２３ａ，２３ｂとのかかりしろ３０ａ，３０ｂを任意に設定できる。よって、ボタン２０が組み付きやすく、かつ外れにくい構造を提供することができる。
【００２５】
また、実施の形態１のパネル１０は、隙間部１４を中心とする円弧状のスリット部１６を備える。ボタン２０は、隙間部１４に入った回転軸部２２の回転に伴ってスリット部１６内を移動可能であって２つの受け部１３ａ，１３ｂに２つの係り部２３ａ，２３ｂが係り合った状態ではスリット部１６の他端部１６ｂに当接してボタン２０とパネル１０とを位置決めするボス部２６を備える。これにより、ボタン２０とパネル１０との位置決め、およびボタン２０の上下方向への外れを防止できる。
【００２６】
なお、本発明はその発明の範囲内において、実施の形態の任意の構成要素の変形、または実施の形態の任意の構成要素の省略が可能である。
図示例では、パネル１０が腕部１２ａ，１２ｂ、受け部１３ａ，１３ｂ、隙間部１４、およびスリット部１６を備え、ボタン２０が回転軸部２２、係り部２３ａ，２３ｂ、切り欠き部２４ａ，２４ｂ、およびボス部２６を備える構成を示したが、反対に、パネル１０が回転軸部２２、係り部２３ａ，２３ｂ、切り欠き部２４ａ，２４ｂ、およびボス部２６を備え、ボタン２０が腕部１２ａ，１２ｂ、受け部１３ａ，１３ｂ、隙間部１４、およびスリット部１６を備える構成等であってもよい。パネル１０が回転軸部２２等を備える構成の場合にも、ボタン２０が回転軸部２２を中心にして回転することで受け部１３ａ，１３ｂと係り部２３ａ，２３ｂとが係り合う。
【符号の説明】
【００２７】
１０  パネル、１１  パネル表面、１２ａ，１２ｂ  腕部、１３ａ，１３ｂ  受け部、１４  隙間部、１５ａ，１５ｂ  導光部、１６  スリット部、１６ａ  一端部、１６ｂ  他端部、２０  ボタン、２１  ボタン裏面、２２  回転軸部、２３ａ，２３ｂ  係り部、２４ａ，２４ｂ  切り欠き部、２５ａ，２５ｂ  光透過部、２６  ボス部、３０ａ，３０ｂ  かかりしろ、４０  立壁、４１ａ，４１ｂ  フック、４２ａ，４２ｂ  かかりしろ、５０  ナビゲーション装置、５１  ディスプレイ。
【図１】
2018181669.tif 000003
【図２】
2018181669.tif 000004
【図３】
2018181669.tif 000005
【図４】
2018181669.tif 000006
【図５】
2018181669.tif 000007
【図６】
2018181669.tif 000008
【図７】
2018181669.tif 000009
【図８】
2018181669.tif 000010